(57)【特許請求の範囲】
【請求項１】
無線部と、この無線部に接続される無線部性能測定端子と、この測定端子に接続される第１スイッチ回路と、前記測定端子に接続される第２スイッチ回路と、前記第１のスイッチ回路に接続される第１のアンテナと、前記第２のスイッチ回路に接続される第２のアンテナとを有する移動通信端末装置において、
前記第１のスイッチ回路は、前記無線部を第１のアンテナに接続する場合は、前記無線部を前記第１のスイッチ回路に含まれる第１の接点のみを介して前記第１のアンテナに接続し、
前記無線部を第２のアンテナに接続する場合は、前記第１のアンテナを第１の終端回路に接続し、
前記無線部の性能を測定する場合は、前記測定端子を開放状態にするよう構成され、
前記第２のスイッチ回路は、前記無線部を第１のアンテナに接続する場合は、前記第２のアンテナを第２の終端回路に接続し、
前記無線部を第２のアンテナに接続する場合は、前記無線部を前記第２のスイッチ回路に含まれる第２の接点のみを介して第２のアンテナに接続し、
前記無線部の性能を測定する場合は、前記測定端子を開放状態にするように構成されていることを特徴とする移動通信端末装置。
【請求項２】
無線部と、この無線部に接続される無線部性能測定端子と、この測定端子に接続されるスイッチ回路と、このスイッチ回路に選択的に接続される第１のアンテナと第２のアンテナとを有する移動通信端末装置において、
前記スイッチ回路は、前記無線部を第１のアンテナに接続する場合は、前記無線部を第１の接点のみを介して前記第１のアンテナに接続するとともに、前記第２のアンテナを第１の終端回路に接続し、
前記無線部を第２のアンテナに接続する場合は、前記無線部を第２の接点のみを介して第２のアンテナに接続するとともに、前記第１のアンテナを第２の終端回路に接続し、
無線部性能を測定する場合は、前記測定端子を開放状態にするように構成されていることを特徴とする移動通信端末装置。
【発明の詳細な説明】
【０００１】
【発明の属する技術分野】
本発明は、例えば携帯電話システムやＰＨＳ（Personal  Handyphone  System）等に使用される移動端末装置が備えているアンテナ切替ダイバシテイ機能を有する無線回路の移動通信端末装置に関する。
【０００２】
【従来の技術】
図８乃至図１０は、いずれもこの種従来の移動通信端末装置のそれぞれ異なる例を示す回路図であり、以下これらについて説明する。図８は、アンテナＡＮＴとマッチング回路Ｚからなるアンテナ系と、測定端子ＪとバンドパフィルタＢＰＦと単極双頭スイッチＳＰと送信部Ｓと受信部Ｒと変復調制御部ＭＣとからなる無線機本体から構成されている。この例の場合は、無線機本体の性能試験を行う測定モードのとき測定端子Ｊにおいて、図示しない性能試験装置を接続することによって送信部Ｓ及び受信部Ｒの性能（無線周波数信号）を測定できるようになっている。
【０００３】
図９は、ダイバシチアンテナ構成の送受信を測定可能に構成した例である。すなわち、第１及び第２のアンテナ系を備え、第１のアンテナ系はアンテナＡＮＴ１とアンテナマッチング回路Ｚ１と単極双頭スイッチＳＰ１からなり、又第２のアンテナ系はアンテナＡＮＴ２とアンテナマッチング回路Ｚ３と単極双頭スイッチＳＰ２からなり、各スイッチＳＰ１，ＳＰ２の共通端子ＲＦＣＯＭ１，ＲＦＣＯＭ２はそれぞれ測定端子Ｊに接続されている。この例の場合には、測定モードのときは、スイッチＳＰ１，ＳＰ２をそれぞれ開放状態すなわち可動片を端子ＲＦ２，ＲＦ４側に倒す。また第１のアンテナ系を選択する選択モードの場合には図９のようにスイッチＳＰ１の可動片を端子ＲＦ１側に倒し、スイッチＳＰ２の可動片を端子ＲＦ４に倒したままとする。第２のアンテナ系を選択する選択モードのときは、スイッチＳＰ１，ＳＰ２を上の逆に行う。
【０００４】
図１０は図９の回路において、アンテナＡＮＴ１とアンテナマッチング回路Ｚ１の接続点とアースとの間にスイッチＳＷ１と終端回路Ｚ２を直列に接続し、又アンテナＡＮＴ２とアンテナマッチング回路Ｚ２の接続点とアースとの間にスイッチＳＷ２と終端回路Ｚ４を直列に接続した点が図９とは異なる。スイッチＳＰ１，ＳＰ２の接続の仕方は、図９と同じである。
【０００５】
【発明が解決しようとする課題】
以上述べた従来例にあっては、次のような問題点がある。
【０００６】
図８の例では、性能試験を行う場合には、アンテナ系と無線部の間、すなわち測定端子Ｊとマッチング回路Ｚの間の接続線Ｌを非接続状態（オープン状態）としなればならない。性能試験後は、アンテナと無線部を接続状態にする必要がある。これを実現すべく試験後にアンテナと無線部を同軸ケーブルＬで接続する場合、性能試験後に半田付けしてアンテナ系と接続する必要がある。
【０００７】
図９の例では、図８のように性能試験後はアンテナと無線部を接続する必要はないが、アンテナを選択するには単極双頭スイッチＳＰ１，ＳＰ２のうち選択される側に無線部を接続する場合、非選択側のアンテナには何等終端回路が形成されない。従って、非選択側のアンテナが選択側の系に悪影響を及ぼす。
【０００８】
図１０の例では、独立のスイッチＳＷＡ，ＳＷＢ、ＳＰ１，ＳＰ２が必要であり、このためこれらのスイッチを測定モード、アンテナ系の選択と非選択モードに応じて制御する必要があり、その制御が複雑となる。
【０００９】
図１１は、図８〜図１０の問題点を解決するため本出願人が考えた例であり、測定端子ＪとアンテナＡＮＴ１のアンテナマッチング回路Ｚ１の間に単極双頭スイッチＳＰ１とＳＰ３を直列に接続し、又測定端子ＪとアンテナＡＮＴ２のアンテナマッチング回路Ｚ３の間に単極双頭スイッチＳＰ２とＳＰ４を直列に接続し、スイッチＳＰ１，ＳＰ３とアースの間にそれぞれ終端回路Ｚ２，Ｚ４を接続したものである。
【００１０】
この場合には、ＳＰ１とＳＰ３が１つの制御信号で制御され、ＳＰ２とＳＰ４をもう１つの制御信号で制御することができるので、アースの間にそれぞれ終端回路Ｚ２，Ｚ４を接続した以上述べた図８〜図１０の従来例の問題点を除去できるが、一方のアンテナ系を非選択状態とし、他方のアンテナ系を選択状態としたとき、例えばスイッチＳＰ１，ＳＰ３が直列に接続されるので、この分だけ損失が多くなる。
【００１１】
本発明は上記の課題を解決するためになされたもので、一方のアンテナ系を非選択状態とし、他方のアンテナ系を選択状態としたときであっても損失が少なく、測定モードのときにはアンテナ系の切り離し及びその接続を行う必要がなく、非選択側のアンテナ系の終端回路が短絡される移動通信端末装置を提供することを目的とする。
【００１２】
【課題を解決するための手段】
前記目的を達成するため、請求項１に対応する発明は、無線部と、この無線部に接続される無線部性能測定端子と、この測定端子に接続される第１スイッチ回路と、前記測定端子に接続される第２スイッチ回路と、前記第１のスイッチ回路に接続される第１のアンテナと、前記第２のスイッチ回路に接続される第２のアンテナとを有する移動通信端末装置において、
前記第１のスイッチ回路は、前記無線部を第１のアンテナに接続する場合は、前記無線部を前記第１のスイッチ回路に含まれる第１の接点のみを介して前記第１のアンテナに接続し、
前記無線部を第２のアンテナに接続する場合は、前記第１のアンテナを第１の終端回路に接続し、
前記無線部の性能を測定する場合は、前記測定端子を開放状態にするよう構成され、
前記第２のスイッチ回路は、前記無線部を第１のアンテナに接続する場合は、前記第２のアンテナを第２の終端回路に接続し、
前記無線部を第２のアンテナに接続する場合は、前記無線部を前記第２のスイッチ回路に含まれる第２の接点のみを介して第２のアンテナに接続し、
前記無線部の性能を測定する場合は、前記測定端子を開放状態にするように構成されていることを特徴とする移動通信端末装置である。
【００１３】
前記目的を達成するため、請求項２に対応する発明は、無線部と、この無線部に接続される無線部性能測定端子と、この測定端子に接続されるスイッチ回路と、このスイッチ回路に選択的に接続される第１のアンテナと第２のアンテナとを有する移動通信端末装置において、
前記スイッチ回路は、前記無線部を第１のアンテナに接続する場合は、前記無線部を第１の接点のみを介して前記第１のアンテナに接続するとともに、前記第２のアンテナを第１の終端回路に接続し、
前記無線部を第２のアンテナに接続する場合は、前記無線部を第２の接点のみを介して第２のアンテナに接続するとともに、前記第１のアンテナを第２の終端回路に接続し、
無線部性能を測定する場合は、前記測定端子を開放状態にするように構成されていることを特徴とする移動通信端末装置である。
【００１４】
【発明の実施の形態】
以下、図面を参照して本発明の実施形態を説明する。
【００１５】
図１は、本発明の移動通信端末装置が使用される移動端末装置の構成を示す回路ブロック図である。この移動端末装置は、アンテナ１１を備えた無線部１と、モデム部２と、ＴＤＭＡ部３と、通話部４と、制御部５と、情報記憶部６と、データ通信部７と、表示部８と、キー入力部９とを備えている。
【００１６】
すなわち、図示しない基地局から到来した無線周波信号は、アンテナ１１Ａ又は１１Ｂで受信されたのち無線部１のアンテナ選択回路［高周波スイッチ回路（ＳＷ）］１２を介して受信部１３に入力される。この受信部１３では、上記受信された無線周波信号がシンセサイザ１４から発生された局部発振信号とミキシングされて受信中間周波信号にダウンコンバートされる。なお、上記シンセサイザ１４から発生される局部発振信号周波数は、制御部５の指示により無線チャネル周波数に対応する値に設定される。また、無線部１には受信電界強度検出部（ＲＳＳＩ）１６が設けられている。この受信電界強度検出部１６では、基地局ＣＳ１〜ＣＳｎから到来した無線周波信号の受信レベルが検出され、その検出値は例えば受信品質の判定・表示を行うために制御部５に通知される。
【００１７】
上記受信部１３から出力された受信中間周波信号は、モデム部２の復調部２１に入力される。復調部２１では上記受信中間周波信号のディジタル復調が行なわれ、これによりディジタル復調信号が再生される。
【００１８】
ＴＤＭＡ部３のＴＤＭＡデコード部３１は、上記ディジタル復調信号を各受信タイムスロットごとに分離する。そして、分離したスロットのデータが音声データであればこの音声データを通話部４に入力する。一方、分離したスロットのデータがパケットデータや制御データであれば、これらのデータをデータ通信部７に入力する。
【００１９】
通話部４は、ＡＤＰＣＭ（Adaptive Differential Pulse Code Modulation）トランスコーダ４１と、ＰＣＭコーデック４２と、スピーカ４３と、マイクロホン４４とを備えている。ＡＤＰＣＭトランスコーダ４１は、上記ＴＤＭＡデコード部３１から出力された音声データを復号する。ＰＣＭコーデック４２は、上記ＡＤＰＣＭトランスコーダ４１から出力されたディジタル音声信号をアナログ信号に変換し、この音声信号をスピーカ４３から拡声出力する。
【００２０】
データ通信部７は、上記ＴＤＭＡデコード部３１から供給されたデータを受信し、このデータを制御部５に供給する。制御部５は受信データが制御データであればこの制御データを解析して必要な制御を行う。これに対し受信データがサーバ等から到来したパケットデータであれば、このパケットデータをデパケットしたのち情報記憶部６に記憶すると共に、例えば液晶表示器（ＬＣＤ）からなる表示部８に供給して表示させる。
【００２１】
一方、マイクロホン４４に入力されたユーザの音声信号は、ＰＣＭコーデック４２でＰＣＭ符号化されたのちＡＤＰＣＭトランスコーダ４１でさらに圧縮符号化される。そして、この符号化音声データはＴＤＭＡエンコード部３２に入力される。また制御部５から出力された制御データやパケットデータは、データ通信部７を経て上記ＴＤＭＡエンコード部３２に入力される。
【００２２】
ＴＤＭＡエンコード部３２は、上記ＡＤＰＣＭトランスコーダ４１から出力された各チャネルのディジタル音声データ、及びデータ通信部７から出力された制御データやパケットデータを、制御部５から指示された送信タイムスロットに挿入して多重化する。変調部２２は、上記ＴＤＭＡエンコード部３２から出力された多重化ディジタル通信信号により送信中間周波信号をディジタル変調し、この変調した送信中間周波信号を送信部１５に入力する。
【００２３】
送信部１５は、上記変調された送信中間周波信号をシンセサイザ１４から発生された局部発振信号とミキシングして無線搬送波周波数にアップコンバートし、さらに所定の送信電力レベルに増幅する。この送信部１５から出力された無線周波信号は、高周波スイッチ１２を介してアンテナ１１から基地局ＣＳ１〜ＣＳｎに向け送信される。
【００２４】
次に、本発明のアンテナ選択回路（図１の高周波スイッチ回路１２に対応）の第１の実施形態について図面を参照して説明する。図２はその第１の実施形態を示す回路図である。移動通信端末装置は、アンテナＡＮＴ１とアンテナマッチング回路Ｚ１からなる第１のアンテナ系及びアンテナＡＮＴ２とアンテナマッチング回路Ｚ３からなる第２のアンテナ系と、無線機本体に有し該本体の性能試験（無線周波数信号測定）を行うための測定端子Ｊの間に接続されるものであって、第１〜第８スイッチＳＷ１〜ＳＷ８と、第１の終端回路Ｚ２及び第２の終端回路Ｚ４と、制御回路ＣＯＮＴとからなっている。
【００２５】
第１〜第４スイッチＳＷ１〜ＳＷ４からなる第１のスイッチ回路及び第５〜第８スイッチＳＷ５〜ＳＷ８からなる第２のスイッチ回路はいずれもループ状に結線し、且つ第１スイッチＳＷ１及び第２スイッチＳＷ２の接続点（共通端子）ＲＦＣＯＭ１と第５スイッチＳＷ５及び第６スイッチＳＷ６の接続点（共通端子）ＲＦＣＯＭ２にそれぞれ直流分をカットするためのコンデンサＣ１，Ｃ２を介して接続すると共に測定端子Ｊと接続している。
【００２６】
第１の終端回路Ｚ２を第３スイッチＳＷ３及び第４スイッチＳＷ４の接続点（接地端子）Ｇとアースとの間に接続し、第２の終端回路Ｚ４を第７スイッチＳＷ７及び第８スイッチＳＷ８の接続点とアースとの間に接続している。
【００２７】
制御回路ＣＯＮＴは図３に示すように、無線機本体の性能試験を行う測定モードのとき、第１スイッチＳＷ１、第４スイッチＳＷ４、第５スイッチＳＷ５、第８スイッチＳＷ８にそれぞれ開路する指令を与えると共に、第２スイッチＳＷ２、第３スイッチＳＷ３、第６スイッチＳＷ６、第７スイッチＳＷ７にそれぞれ閉路する指令を与える。具体的には、ＶＣ１がハイ「Ｈ」、ＶＣ２がロー「Ｌ」、ＶＣ３がハイ「Ｈ」、ＶＣ４がロー「Ｌ」の信号が制御回路ＣＯＮＴの指令がある。これにより、測定端子Ｊは、オープンとなっているＲＦ２，ＲＦ４に接続され、測定が可能となる。また、アンテナ１，２はそれぞれアースに接続され、他の回路に影響を与えないようにできる。
【００２８】
また、制御回路ＣＯＮＴは図３に示すように、アンテナＡＮＴ１を選択するモードのとき、第２スイッチＳＷ２、第３スイッチＳＷ３、第５スイッチＳＷ５、第８スイッチＳＷ８にそれぞれ開路する指令を与えると共に、第１スイッチＳＷ１、第４スイッチＳＷ４、第６スイッチＳＷ６、第７スイッチＳＷ７にそれぞれ閉路する指令を与える。具体的には、ＶＣ１がロー「Ｌ」、ＶＣ２がハイ「Ｈ」、ＶＣ３がハイ「Ｈ」、ＶＣ４がロー「Ｌ」の信号が制御回路ＣＯＮＴの指令がある。これにより、無線部からのアンテナ１までは第１スイッチＳＷ１のみを経由するだけでよいので、２つのスイッチを経由する図１１の例に比べて損失が少なくなる。
【００２９】
さらに、制御回路ＣＯＮＴは図３に示すように、アンテナＡＮＴ２を選択するモードのとき、第１スイッチＳＷ１、第４スイッチＳＷ４、第６スイッチＳＷ６、第７スイッチＳＷ７にそれぞれ開路する指令を与えると共に、第２スイッチＳＷ２、第３スイッチＳＷ３、第５スイッチＳＷ５、第８スイッチＳＷ８にそれぞれ閉路する指令を与える。具体的には、ＶＣ１がハイ「Ｈ」、ＶＣ２がロー「Ｌ」、ＶＣ３がロー「Ｌ」、ＶＣ４がハイ「Ｈ」の信号が制御回路ＣＯＮＴの指令がある。この場合もアンテナ１の選択時と同様に、スイッチによる損失が少なくなる。
【００３０】
図４は、図２の第１のスイッチ回路の具体的な構成を示す回路図であり、スイッチＳＷ１〜ＳＷ４は、ＦＥＴ（電解効果トランジスタ）Ｔｒ１〜Ｔｒ４で構成され、これらのゲートにそれぞれ抵抗ｒ１〜ｒ４を接続し、ｒ１とｒ４を共通に接続すると共に制御端子ＶＣ２に接続し、ｒ２とｒ３を共通に接続すると共に制御端子ＶＣ１に接続し、Ｔｒ２のドレンに抵抗ｒ６及びコンデンサＣ１の一端を接続し、Ｔｒ４のドレンに抵抗ｒ７及びコンデンサＣ２の一端を接続し、抵抗ｒ６，ｒ７の他端同士を接続すると共にバイアス端子Ｂｉａｓを接続し、コンデンサＣ１とＣ２の他端同士を接続すると共にこの接続点に接地端子ＧＮＤを接続し、Ｔｒ１のドレンとＴｒ２のドレンを接続すると共にこの部分に共通端子ＲＦＣＯＭを接続し、バイアス端子ＢｉａｓとＴｒ１のドレンの間に抵抗ｒ５を接続し、Ｔｒ１のソースとＴｒ３のソースを接続すると共に端子ＲＦ２を接続し、Ｔｒ２のソースとＴｒ４のソースを接続すると共に端子ＲＦ１を接続したものである。
【００３１】
このような構成のスイッチ回路は、例えばＩＣにより構成される。
【００３２】
図５は、図４の等価回路を示す図である。
【００３３】
以上述べた第１の実施形態によれば、次のような作用効果が得られる。
【００３４】
（１）測定モードのとき、制御回路ＣＯＮＴから得られる開路指令によりＳＷ１，ＳＷ４，ＳＷ５，ＳＷ８がともに開路することから（第１及び第２のアンテナ系がオープンに見えることから）、従来例のように測定モードのとき別に例えばスイッチ付コネクタ又はスイッチによる選択又は測定後半田付けしてアンテナ系と接続する必要がない。
【００３５】
なお測定モードのとき、ＡＮＴ１には終端回路Ｚ２が接続され、ＡＮＴ２には終端回路Ｚ４が接続されている。
【００３６】
（２）ＡＮＴ１の選択モード時には、制御回路ＣＯＮＴから得られるＶＣ１からＶＣ４に基づいてＳＷ２，ＳＷ３，ＳＷ５，ＳＷ８がともに開路し、ＳＷ１，ＳＷ４，ＳＷ６，ＳＷ７がともに閉路する。このとき、終端回路Ｚ２はオープン状態であり、終端回路Ｚ４はＡＮＴ２と接続状態にある。
【００３７】
ＡＮＴ２の選択モード時には、制御回路ＣＯＮＴから得られる開路指令によりＳＷ１，ＳＷ４，ＳＷ６，ＳＷ７がともに開路し、制御回路ＣＯＮＴから得られる閉路指令によりＳＷ２，ＳＷ３，ＳＷ５，ＳＷ８がともに閉路する。このとき、路終端回路Ｚ４はオープン状態であり、終端回路Ｚ２はＡＮＴ２と接続状態にある。
【００３８】
この結果、非選択側のアンテナ系の終端回路Ｚ２又はＺ４が短絡（シャント）状態となる。また、アンテナ選択モードのとき、アンテナから測定端子Ｊまでの経路は、１個のスイッチＳＷのみが接続されているだけであるので、回路損失を低減できる。従って、終端回路Ｚ２，Ｚ４の特性を確認可能である。
【００３９】
次に、本発明の移動通信端末装置（図１の高周波スイッチ回路１２に対応）の第２の実施形態について図面を参照して説明する。図６はその第２の実施形態を示す回路図である。移動通信端末装置は、第１及び第２のアンテナ系と、無線機本体に有し該本体の性能試験を行うための測定端子Ｊの間に接続されるものであって、第１〜第４スイッチＳ１〜Ｓ４と、第１及び第２の終端回路Ｚ２，Ｚ４と、第１及び第２のインバータＩＮ１，ＩＮ２と、制御回路ＣＯＮＴとから構成されている。
【００４０】
第１スイッチＳ１及び第２スイッチＳ２の一端をそれぞれ第１及び第２のアンテナ系に接続し、第１スイッチＳ１及び第２スイッチＳ２の他端同士を接続すると共に該接続点を測定端子Ｊに接続し、第１のアンテナ系と第１スイッチＳ１の接続点とアースとの間に第３スイッチＳ３と第１の終端回路Ｚ２を直列に接続し、
第２のアンテナ系と第２スイッチＳ２の接続点とアースとの間に第４スイッチＳ４と第２の終端回路Ｚ４を直列に接続している。
【００４１】
第１のインバータＩＮ１の入力端子を第１の制御端子ＶＣ１に接続し該第１の制御端子ＶＣ１からの指令を第１スイッチＳ１に与えると共に、該第１のインバータＩＮＶの出力端子からの指令を第３のスイッチＳ３に与え、第２のインバータＩＮ２の入力端子を第２の制御端子ＶＣ２に接続し該第２の制御端子ＶＣ２からの指令を第２スイッチＳ２に与えると共に、該第２のインバータＩＮ２の出力端子からの指令を第４のスイッチＳ４に与えるようになっている。
【００４２】
そして、制御回路ＣＯＮＴは図７に示すように無線機本体の性能試験を行う測定モードのときであって、第１の制御端子ＶＣ１及び第２の制御端子ＶＣ２に与えられる電位が負電位（Ｌ）のときであって第１スイッチＳ１、第２スイッチＳ２にそれぞれ開路する指令を与えると共に、第３スイッチＳ３、第４スイッチＳ４に第１のインバータＩＮ１及び第２のインバータＩＮ２を介した出力がそれぞれ閉路指令となるように与える。
【００４３】
また、制御回路ＣＯＮＴは第１のアンテナ系を選択するモードのとき、第１の制御端子ＶＣ１が正電位で第２の制御端子ＶＣ２が負電位のときのときであって第２スイッチＳ２に開路指令を与え、かつ第３スイッチＳ３に第１のインバータＩＮＩを介した出力が開路指令となるように与えると共に、第１スイッチＳ１に閉路指令を与え、かつ第４スイッチＳ４に第２のインバータＩＮＶ２を介した出力が閉路指令となるように与える。
【００４４】
さらに、制御回路ＣＯＮＴは第２のアンテナ系を選択するモードのとき、第１の制御端子ＶＣ１が負電位で第２の制御端子ＶＣ２が正電位のときのときであって第１スイッチに開路指令を与え、かつ第４スイッチＳ４に第２のインバータＩＮ２を介した出力が開路指令となるように与えると共に、第２スイッチＳ２に閉路指令を与え、かつ第３スイッチＳ３に第１のインバータＩＮ１を介した出力が閉路指令となるように与える。
【００４５】
このように構成した第２の実施形態によれば、第１の実施形態のスイッチ回路に比べて制御端子がＶＣ１，ｖｃ２の２つとなるので、構成が簡単で、これに伴い制御回路の構成も簡単となる。
【００４６】
本発明は以上述べた実施形態に限定されず、例えば以下のように変形して実施できる。すなわち、第１の実施形態（図２）の第１〜第４スイッチＳＷ１〜ＳＷ４からなる第１のスイッチ回路を１個のＩＣ（集積回路）で構成し、又第５〜第８スイッチＳＷ５〜ＳＷ８からなる第２のスイッチ回路を１個のＩＣ（集積回路）で構成したり、該第１及び第２のスイッチ回路を１個のＩＣ（集積回路）で構成してもよい。この場合には、図のように端子ＲＦ１〜ＲＦ４、共通端子ＲＦＣＯＭ１，ＲＦＣＯＭ２、制御端子ＶＣ１，ＶＣ２、接地端子Ｇ１，Ｇ２を設ける。
【００４７】
また、第２の実施形態（図６）の第１〜第４スイッチＳ１〜Ｓ４と、第１及び第２のインバータＩＮ１，ＩＮ２を１個のＩＣ（集積回路）で構成してもよい。この場合には、図のように端子ＲＦ１〜ＲＦ４、共通端子ＲＦＣＯＭ、制御端子ＶＣ１，ＶＣ２、接地端子Ｇ１，Ｇ２を設ける。
【００４８】
第１及び第２の実施形態の制御回路ＣＯＮＴは、実施形態のようにスイッチ回路専用のもので構成したり、或いは図１の移動端末装置に有する制御部５により前述した制御回路ＣＯＮＴの機能を付加させるようにしてもよい。
【００４９】
【発明の効果】
以上述べた本発明によれば、一方のアンテナ系を非選択状態とし、他方のアンテナ系を選択状態としたときであっても損失が少なく、測定モードのときにはアンテナ系の切り離し及びその接続を測定者が行う必要がなく、さらに非選択側のアンテナ系の終端回路が短絡される移動通信端末装置を提供することができる。
【図面の簡単な説明】
【図１】本発明の移動通信端末装置が適用される移動端末装置の全体の構成を説明するための回路ブロック図。
【図２】本発明の第１の実施形態に係る移動通信端末装置を説明するための回路図。
【図３】図２の制御回路の動作を説明するための図。
【図４】図２のＩＣスイッチを説明するための具体的な回路図。
【図５】図４の等価回路図。
【図６】本発明の第２の実施形態に係る移動通信端末装置を説明するための回路図。
【図７】図５の制御回路の動作を説明するための図。
【図８】従来の移動通信端末装置の第１の例を説明するための回路図。
【図９】従来の移動通信端末装置の第２の例を説明するための回路図。
【図１０】従来の移動通信端末装置の第３の例を説明するための回路図。
【図１１】従来の第１〜第３の移動通信端末装置の問題点を改善するため本出願人が考えた例を説明するための回路図。
【符号の説明】
ＡＮＴ１，ＡＮＴ２…アンテナ、Ｚ１，Ｚ３…終端回路、Ｚ２，Ｚ４…終端回路、ＳＷ１，ＳＷ２，ＳＷ３，ＳＷ４，ＳＷ５，ＳＷ６，ＳＷ７，ＳＷ８…ＩＣ内部スイッチ、Ｊ…測定端子、ＢＰＦ…フィルタ、ＶＣ１，ＶＣ２，ＶＣ３，ＶＣ４…制御端子、ＲＦ１，ＲＦ２，ＲＦ３，ＲＦ４，ＲＦＣＯＭ１，ＲＦＣＯＭ２，Ｇ１，Ｇ２…端子、Ｂｉａｓ…バイアス端子、ＧＮＤ…接地端子、Ｔｒ１，Ｔｒ２，Ｔｒ３，Ｔｒ４…ＦＥＴ、ｒ１，ｒ２，ｒ３，ｒ４，ｒ５，ｒ６…抵抗、ＲＦＣＯＭ，ＲＦＣＯＭ１，ＲＦＣＯＭ２…共通端子、ＩＮ１，ＩＮ２…インバータ、Ｃ１，Ｃ２…コンデンサ。
【図１】
0004380891.tif 000002
【図２】
0004380891.tif 000003
【図３】
0004380891.tif 000004
【図４】
0004380891.tif 000005
【図５】
0004380891.tif 000006
【図６】
0004380891.tif 000007
【図７】
0004380891.tif 000008
【図８】
0004380891.tif 000009
【図９】
0004380891.tif 000010
【図１０】
0004380891.tif 000011
【図１１】
0004380891.tif 000012